(57)【要約】【課題】きめ細かい泡を生成することができる石鹸液供給装置を提供することを目的とする。【解決手段】カウンタを貫く取付管と、カウンタの下方に設けられ、取付管と接続され、石鹸液がカウンタの上方から補充される石鹸液タンクと、少なくとも一部がカウンタの上方に設けられ、取付管と着脱可能に接続された本体部と、製泡部材と、を備え、本体部は、石鹸液を送る液ポンプと、空気を送るエアポンプと、を有するポンプユニットと、ポンプユニットの少なくとも一部を内部に収納する外郭部材と、ポンプユニットに対して着脱可能に設けられ、ノズルを有し、ポンプユニットを駆動するハンドル部と、を有し、ポンプユニットから送られた石鹸液及び空気の混合物は、製泡部材及びハンドル部を通ってノズルから吐出され、製泡部材は、ポンプユニットとハンドル部との接続部に設けられたことを特徴とする石鹸液供給装置が提供される。【選択図】図１
2018051030.tif 000002
【特許請求の範囲】
【請求項１】
カウンタを貫く取付管と、
前記カウンタの下方に設けられ、前記取付管と接続された石鹸液タンクであって、石鹸液が前記カウンタの上方から前記取付管を介して補充される石鹸液タンクと、
少なくとも一部が前記カウンタの上方に設けられ、前記取付管と着脱可能に接続された本体部と、
製泡部材と、
を備え、
前記本体部は、
前記石鹸液タンク内の石鹸液を送る液ポンプと、空気を送るエアポンプと、を有するポンプユニットと、
前記ポンプユニットの少なくとも一部を内部に収納する外郭部材と、
前記ポンプユニットに対して着脱可能に設けられ、ノズルを有し、前記ポンプユニットを駆動するハンドル部と、
を有し、
前記ポンプユニットから送られた石鹸液及び空気の混合物は、前記製泡部材及び前記ハンドル部を通って前記ノズルから吐出され、
前記製泡部材は、前記ポンプユニットと前記ハンドル部との接続部に設けられたことを特徴とする石鹸液供給装置。
【請求項２】
前記製泡部材は、前記本体部に対して着脱可能であることを特徴とする請求項１記載の石鹸液供給装置。
【請求項３】
前記製泡部材は、筒状であり、少なくとも２枚の網を有することを特徴とする請求項２に記載の石鹸液供給装置。
【請求項４】
前記ハンドル部は、押し込まれることで前記ポンプユニットを駆動させ、
前記ハンドル部を押し込む力は、前記製泡部材を介して前記ポンプユニットに伝達されることを特徴とする請求項１〜３のいずれか１つに記載の石鹸液供給装置。
【発明の詳細な説明】
【技術分野】
【０００１】
本発明の態様は、一般的に、石鹸液供給装置に関する。
【背景技術】
【０００２】
石鹸液と空気とを混合して、石鹸液を泡状にして吐出する石鹸液供給装置が、従来から用いられている。例えば、特許文献１には、液シリンダ、液ピストン、エアシリンダ及びエアピストンによって、水石けん液とエアを混合し、水石けん液をムース状となして吐出するソープディスペンサーが開示されている。
【０００３】
このような石鹸液供給装置は、例えば、水栓装置やボウル等が設けられたカウンタに設置される。石鹸液供給装置には、泡状となった石鹸液をボウル等へ向けて吐出するノズルが設けられる。
【先行技術文献】
【特許文献】
【０００４】
【特許文献１】特許第４９７９６０２号公報
【発明の概要】
【発明が解決しようとする課題】
【０００５】
石鹸液を泡状にして吐出する石鹸液供給装置においては、荒く混合された状態の石鹸液及び空気が、ポンプユニットから上方に吐出される。その後、上方に吐出された石鹸液及び空気は、側方へ延びるノズルに導かれて、ボウルへ吐出される。このように、泡を吐出する石鹸液供給装置においては、泡を吐出しない従来の液体ポンプに比べて、ポンプユニットからノズルの吐出口までの距離が長い。このため、泡を吐出する石鹸液供給装置の使用後には、ポンプユニットからノズルの吐出口までの間に、多くの泡が貯留されている。この泡が液体に戻ると、ポンプユニットからノズルの吐出口までの間に大きな空間が生じてしまい、次の使用時に、石鹸の泡が出てくるまでの時間が長くなる場合があった。石鹸液の泡は、荒いと液体に戻りやすいため、きめ細かい泡を生成することが望まれる。また、石鹸液供給装置が駅や商業施設などの所謂パブリック空間で利用される場合、家庭用と比較して使用回数が多く、使用する期間も非常に長期にわたるため、きめ細かい泡を生成するためのフィルタ（製泡部材）をメンテナンスできることが望まれる。
【０００６】
本発明は、かかる課題の認識に基づいてなされたものであり、きめ細かい泡を生成することができる石鹸液供給装置を提供することを目的とする。
【課題を解決するための手段】
【０００７】
第１の発明は、カウンタを貫く取付管と、前記カウンタの下方に設けられ、前記取付管と接続された石鹸液タンクであって、石鹸液が前記カウンタの上方から前記取付管を介して補充される石鹸液タンクと、少なくとも一部が前記カウンタの上方に設けられ、前記取付管と着脱可能に接続された本体部と、製泡部材と、を備え、前記本体部は、前記石鹸液タンク内の石鹸液を送る液ポンプと、空気を送るエアポンプと、を有するポンプユニットと、前記ポンプユニットの少なくとも一部を内部に収納する外郭部材と、前記ポンプユニットに対して着脱可能に設けられ、ノズルを有し、前記ポンプユニットを駆動するハンドル部と、を有し、前記ポンプユニットから送られた石鹸液及び空気の混合物は、前記製泡部材及び前記ハンドル部を通って前記ノズルから吐出され、前記製泡部材は、前記ポンプユニットと前記ハンドル部との接続部に設けられたことを特徴とする石鹸液供給装置である。
【０００８】
この石鹸液供給装置によれば、製泡部材がポンプユニットとハンドル部との接続部に設けられることにより、石鹸液及び空気は、ポンプユニットから吐出された直後に勢いよく製泡部材を通過し、泡に変換される。これにより、きめ細かい泡を生成することができる。
【０００９】
第２の発明は、第１の発明において、前記製泡部材は、前記本体部に対して着脱可能であることを特徴とする石鹸液供給装置である。
【００１０】
この石鹸液供給装置によれば、製泡部材を取り出して洗ったり、製泡部材を交換したりできる。したがって、メンテナンス性を向上させることができる。
【００１１】
第３の発明は、第２の発明において、前記製泡部材は、筒状であり、少なくとも２枚の網を有することを特徴とする石鹸液供給装置である。
【００１２】
この石鹸液供給装置によれば、製泡部材を取り出して、２枚の網の両方を洗うことができ、きめ細かい泡を生成できる。
【００１３】
第４の発明は、第１〜第３のいずれか１つの発明において、前記ハンドル部は、押し込まれることで前記ポンプユニットを駆動させ、前記ハンドル部を押し込む力は、前記製泡部材を介して前記ポンプユニットに伝達されることを特徴とする石鹸液供給装置である。
【００１４】
この石鹸液供給装置によれば、ハンドル部を押し込んだときに、ハンドル部は、製泡部材に押し付けられ、製泡部材に密着する。また、製泡部材は、ポンプユニットに押し付けられ、ポンプユニットに密着する。このため、ハンドル部と製泡部材との間、及び、製泡部材とポンプユニットとの間のシール性能が向上する。
【発明の効果】
【００１５】
本発明の態様によれば、きめ細かい泡を生成することができる石鹸液供給装置が提供される。
【図面の簡単な説明】
【００１６】
【図１】図１（ａ）及び図１（ｂ）は、実施形態に係る石鹸液供給装置を例示する斜視図である。
【図２】図２（ａ）及び図２（ｂ）は、実施形態に係る石鹸液供給装置を例示する斜視図及び側面図である。
【図３】実施形態に係る石鹸液供給装置を例示する断面図である。
【図４】図４（ａ）及び図４（ｂ）は、実施形態に係る石鹸液供給装置を例示する分解図である。
【図５】実施形態に係る石鹸液供給装置を例示する断面図である。
【図６】実施形態に係る石鹸液供給装置の製泡部材を例示する斜視図である。
【図７】実施形態に係る石鹸液供給装置を例示する断面図である。
【発明を実施するための形態】
【００１７】
以下、本発明の実施の形態について図面を参照しつつ説明する。なお、各図面中、同様の構成要素には同一の符号を付して詳細な説明は適宜省略する。  
図１（ａ）及び図１（ｂ）は、実施形態に係る石鹸液供給装置を例示する斜視図である。  
図１（ａ）及び図１（ｂ）に示すように、実施形態に係る石鹸液供給装置１００は、カウンタ２００に取り付けられる。この例では、カウンタ２００は、ボウル２１０と一体に設けられている。カウンタ２００とボウル２１０とは別々に設けられてもよい。カウンタ２００の材料には、陶器、樹脂又は木材など任意の材料を用いることができる。
【００１８】
石鹸液供給装置１００は、石鹸液を泡状に変換し、ボウル２１０へ向けて吐出する。石鹸液供給装置１００は、例えば、駅や街の公共設備に設置されるパブリック用の装置である。
【００１９】
図１（ａ）及び図１（ｂ）に示すように、カウンタ２００には、水栓装置２２０が設けられていてもよい。水栓装置２２０は、ボウル２１０へ向けて水を吐出する。
【００２０】
図２（ａ）は、実施形態に係る石鹸液供給装置を例示する斜視図である。  
図２（ｂ）は、実施形態に係る石鹸液供給装置を例示する側面図である。  
図３は、実施形態に係る石鹸液供給装置を例示する断面図である。  
石鹸液供給装置１００は、取付管１２と、石鹸液タンク１４と、本体部１５と、を有する。
【００２１】
図３に示すように、取付管１２は、カウンタ２００を貫く。取付管１２は、カウンタ２００の下方のナット２２によって、カウンタ２００に固定される。ナット２２とカウンタ２００との間には、ワッシャやパッキン２１が設けられる。
【００２２】
石鹸液タンク１４は、カウンタ２００の下方に設けられ、継手２３により、取付管１２に接続される。継手２３と取付管１２との間や、継手２３と石鹸液タンク１４との間には、適宜パッキン２３ａ、２３ｂなどが設けられる。石鹸液タンク１４の内部には石鹸液が収容される。
【００２３】
本体部１５の少なくとも一部は、カウンタ２００よりも上方に設けられる。本体部１５は、取付管１２に着脱可能に接続されている。
【００２４】
本体部１５の下端には、石鹸液タンク１４の内部まで延びるホース部２５が接続されている。ホース部２５は、ホース２５ｃと、ホース２５ｃの先端に継手２５ｂを介して接続されたフィルタ２５ａと、を有する。
【００２５】
図４（ａ）及び図４（ｂ）は、実施形態に係る石鹸液供給装置を例示する分解図である。  
図４（ａ）は、取付管１２及び本体部１５を分解した様子を示し、図４（ｂ）は、図４（ａ）の断面を示す。  
本体部１５は、ハンドル部４０と、樹脂部材４２と、製泡部材４４（フィルタ）と、外郭部材４６と、パッキン４８と、キャップ２６と、ポンプユニット３０と、カバー部材２８と、Ｃリング２９（抜け止め部材）と、を有する。
【００２６】
図４（ｂ）に示すように、ポンプユニット３０は、液ポンプ３１と、エアポンプ３２と、を有する。液ポンプ３１は、石鹸液タンク１４内の石鹸液をホース部２５を介して下方から取り込み、取り込んだ石鹸液を上方へ送る。エアポンプ３２は、空気を取り込み、取り込んだ空気を上方へ送る。これにより、ポンプユニット３０は、石鹸液と空気との混合物（混合液）を、上方のハンドル部４０へ送る。液ポンプ３１及びエアポンプ３２（後述するピストンやシリンダ）は、それぞれ、樹脂で構成される。例えば、液ポンプ３１の材料及びエアポンプ３２の材料のそれぞれには、ポリプロピレン（polypropylene：ＰＰ）を用いることができる。なお、本明細書における「樹脂で構成されている」とはその大部分が樹脂によって構成されていればよく、内部などに金属製の部材、たとえば逆止弁などが設けられているものを含む。
【００２７】
カバー部材２８は、筒状であり、ポンプユニット３０の少なくとも一部を覆う。例えば、図４（ｂ）に示すように、カバー部材２８は、ポンプユニット３０の下部を覆うように取り付けられる。ポンプユニット３０の上部には、キャップ２６が取り付けられる。
【００２８】
カバー部材２８及びキャップ２６は、樹脂で構成される。例えば、カバー部材２８の材料には、ポリフェニレンスルファイド（polyphenylenesulfide：ＰＰＳ）を用いることができる。
【００２９】
外郭部材４６は、筒状であり、カバー部材２８及びポンプユニット３０の少なくとも一部を覆う（図３及び図４（ｂ）参照）。換言すれば、ポンプユニット３０の少なくとも一部は、外郭部材４６の内部に収納される。外郭部材４６の少なくとも表面は、金属で構成される。例えば、外郭部材４６は、金属製であるが、プラスチック等の非金属に金属メッキが施されたものであってもよい。外郭部材４６に用いられる金属は、例えば、銅を含む合金（銅系合金）である。
【００３０】
Ｃリング２９は、カバー部材２８の外周と、外郭部材４６の内周と、の間に取り付けられる（図３参照）。これにより、カバー部材２８に覆われたポンプユニット３０は、Ｃリング２９によって外郭部材４６から抜け止めされる。Ｃリング２９を取り外すことにより、外郭部材４６から、カバー部材２８に覆われたポンプユニット３０を抜き取ることができる。すなわち、ポンプユニット３０は、外郭部材４６に対して着脱可能である。
【００３１】
ハンドル部４０は、ポンプユニット３０に対して着脱可能に接続される。ハンドル部４０の下部に設けられた凹凸４０ａ（例えば溝やスナップフィットなど）と、ポンプユニット３０の上部に設けられた凹凸３０ａとは、直接的又は間接的に係合する。ハンドル部４０を回転させながら上方に引っ張ることで、ハンドル部４０を取り外すことができる。外郭部材４６と同様に、ハンドル部４０の少なくとも表面は、金属で構成される。
【００３２】
ハンドル部４０は、下方に押し込まれることで、外郭部材４６に対して摺動し、ポンプユニット３０を駆動させる。これにより、ポンプユニット３０は、石鹸液と空気との混合物を上方へ送る。また、ハンドル部４０は、ハンドル部４０の上部から側方に延びるノズル４１を有する。
【００３３】
樹脂部材４２は、ハンドル部４０の下方から、ハンドル部４０の内側に嵌め込まれる。樹脂部材４２は、ハンドル部４０が押し込まれたときに、ハンドル部４０と外郭部材４６とが直接ぶつかることを防ぎ、摺動をスムーズにするガイド部材として機能する。
【００３４】
製泡部材４４は、ポンプユニット３０とハンドル部４０との接続部に設けられる。製泡部材４４は、複数の孔（例えば網）を有する。ポンプユニット３０から送られた石鹸液及び空気の混合物は、製泡部材４４を通ってハンドル部４０内に導かれる。混合物は、製泡部材４４を通ることにより、きめ細かい泡に変換される。その後、混合物（泡）は、ハンドル部４０及びノズル４１を通って、ノズル４１の吐出口４１ｅから吐出される。
【００３５】
本体部１５は、取付管１２と着脱可能に接続される。具体的には、図４（ａ）に示すように、ポンプユニット３０の下部には凹凸３０ｂ（例えばスナップフィット）が設けられており、図４（ｂ）に示すように、取付管１２の上部の内側に凹凸１２ｂが設けられている。凹凸３０ｂと凹凸１２ｂとが係合することで、本体部１５は、取付管１２に取り付けられる。本体部１５を上方へ引っ張ることで、本体部１５を取付管１２から取り外すことができる。
【００３６】
本体部１５を取り外した後、カウンタ２００の上方に位置する取付管１２の開口１２ａから、取付管１２を介して、石鹸液タンク１４に石鹸液が補充される。
【００３７】
図５は、実施形態に係る石鹸液供給装置を例示する断面図である。  
図５は、ポンプユニット３０近傍の一部の拡大図である。ポンプユニット３０は、ピストン３３及びシリンダ３４を有する。ピストン３３及びシリンダ３４により、前述の液ポンプ３１及びエアポンプ３２が形成される。
【００３８】
シリンダ３４は、カバー部材２８に支持されている。  
ピストン３３は、エアピストン３３ａとリキッドピストン３３ｂとを有する。エアピストン３３ａ及びリキッドピストン３３ｂは、それぞれ、シリンダ３４に対して上下に摺動可能である。リキッドピストン３３ｂとシリンダ３４とによって、石鹸液を内部に貯留する液室ＲＬが形成される。エアピストン３３ａとシリンダ３４とによって、内部に空気を溜める空気室ＲＡが形成される。また、液室ＲＬ及び空気室ＲＡの上方には、混合室ＲＭが形成されている。
【００３９】
液室ＲＬの下端には、ボール３９（逆止弁）が設けられる。液室ＲＬは、取付管１２を介して石鹸液タンク１４に接続されているが、石鹸液供給装置１００の待機時においては、液室ＲＬの下端はボール３９によって塞がれている。
【００４０】
液室ＲＬの内部には、インナーロッド３５、プラグ３７及びスプリング３８が設けられる。プラグ３７は、インナーロッド３５及びスプリング３８を保持する。スプリング３８は、その弾性力によって、ピストン３３を上方に付勢する。インナーロッド３５の上部は、混合室ＲＭまで延びており、混合室逆止弁３６ｃとなる。
【００４１】
使用者がハンドル部４０を下方へ押し込むと、ハンドル部４０を押し込む力（操作力）がピストン３３に伝達される。これにより、エアピストン３３ａ及びリキッドピストン３３ｂは下方へ移動する。すると、液室ＲＬの容積が減少するため、液室ＲＬ内の石鹸液は、混合室逆止弁３６ｃを通って混合室ＲＭに流入する。このとき、液室ＲＬの下端は、ボール３９によって閉じられた状態である。またスプリング３８は縮まっている。
【００４２】
同時に、空気室ＲＡの容積が減少するため、空気室ＲＡ内の空気は、エアピストン３３ａに設けられた逆止弁３６ａおよび混合室逆止弁３６ｃを通って、混合室ＲＭに流入する。このとき、エアピストン３３ａに設けられた逆止弁３６ｂは、閉じている。
【００４３】
混合室ＲＭ内では、空気及び石鹸液が混合される。そして、混合物は、混合室ＲＭの上部に設けられた小孔Ｐから、製泡部材４４及びハンドル部４０へ吐出される。以上により、ノズル４１から石鹸の泡が吐出される。
【００４４】
その後、使用者がハンドル部４０から手を放すと、縮んでいたスプリング３８の弾性力によって、エアピストン３３ａ及びリキッドピストン３３ｂは、上方へ移動する。すると、液室ＲＬの容積が増大し、液室ＲＬ内に負圧が生じる。このとき、混合室逆止弁３６ｃは閉まり、ボール３９が上昇する。これにより、下方の石鹸液タンク１４から液室ＲＬ内に石鹸液が供給され、液室ＲＬ内は石鹸液で満たされる。
【００４５】
同時に、空気室ＲＡの容積が増大し、空気室ＲＡ内に負圧が生じる。このとき、逆止弁３６ａは閉まり、逆止弁３６ｂが開く。これにより、空気室ＲＡには、外部から空気が供給される。以上により、石鹸液供給装置１００は、待機状態に戻る。
【００４６】
図６は、実施形態に係る石鹸液供給装置の製泡部材を例示する斜視図である。  
製泡部材４４は、少なくとも２枚の網と、筒部４４ｃと、を有する。この例において、製泡部材４４は、第１の網４４ａ及び第２の網４４ｂを有する。
【００４７】
第１の網４４ａは、筒部４４ｃの一端に設けられ、第２の網４４ｂは、筒部４４ｃの他端に設けられる。ポンプユニット３０から吐出される石鹸液の経路において、筒部４４ｃの入口側に第１の網４４ａが位置し、筒部４４ｃの出口側に第２の網４４ｂが位置する。
【００４８】
図７は、実施形態に係る石鹸液供給装置を例示する断面図である。  
図７は、本体部１５の上部の断面を示している。図７に示すように、製泡部材４４の下端は、ポンプユニット３０の小孔Ｐが設けられた上端面と接している。また、製泡部材４４の上端は、ハンドル部４０と接している。
【００４９】
これにより、石鹸液と空気との混合物（混合液）は、ポンプユニット３０の混合室ＲＭから吐出されると、直接、第１の網４４ａに到達する。混合物は、第１の網４４ａを通過することで泡状となり、さらに、第２の網４４ｂを通過する。これにより、泡が、よりきめ細かくなる。得られた泡は、図７に示す矢印Ａの経路に沿って、ハンドル部４０及びノズル４１を通過し、ノズル４１の吐出口４１ｅから吐出される。
【００５０】
このように、石鹸の泡を吐出する石鹸液供給装置において、混合物（泡）の経路は、ポンプユニットからノズルまでの間に、上方に延びる部分を有する。  
また、カウンタ２００に固定された石鹸液供給装置においては、泡がボウル２１０に到達するように、ノズルの長さを確保する必要がある。このため、石鹸液と空気とを混合するポンプユニットから、ノズルの吐出口までの距離が長い。換言すれば、ポンプユニットからノズルの吐出口までの経路の体積が大きい。
【００５１】
このような石鹸液供給装置では、ポンプユニットからノズルの吐出口までの間に残留した泡が液体に戻ってしまうと、ポンプユニットからノズルの吐出口までの間に大きな空間が出来てしまう。その結果、次の使用時に、なかなかノズルから泡が出てこない可能性がある。
【００５２】
これに対して、実施形態においては、製泡部材４４は、ポンプユニット３０とハンドル部４０との接続部に設けられている。これにより、石鹸及び空気の混合物は、ポンプユニット３０の小孔Ｐから吐出された直後に、勢いよく、製泡部材４４を通過することができ、きめ細かい泡を生成することができる。きめ細かい泡は、荒い泡に比べて液体に戻りにくい。したがって、ポンプユニット３０からノズル４１の吐出口４１ｅまでの間に大きな空間が出来てしまうことを抑制でき、ノズル４１から泡が出にくくなることを抑制できる。
【００５３】
また、石鹸液供給装置の使用期間が長くなると、製泡部材の網が詰まる場合がある。例えば、きめ細かい泡を生成するために、網を細かくすると、詰まりが生じやすい。  
これに対して、実施形態において、ハンドル部４０は、ポンプユニット３０に対して着脱可能であるため、ハンドル部４０を取り外せば、製泡部材４４にアプローチすることができ、製泡部材４４をメンテナンスすることができる。
【００５４】
さらに、製泡部材４４は、ポンプユニット３０とハンドル部４０とに挟まれるように設置されており、ハンドル部４０を取り外せば、本体部１５に対して着脱可能である。これにより、製泡部材４４を取り出して洗ったり、製泡部材４４を交換したりすることができ、メンテナンス性を向上させることができる。例えば、製泡部材４４を取り外すことで、第１の網４４ａ及び第２の網４４ｂの両方を洗うことができる。
【００５５】
図７に示す矢印Ｆ１は、使用者がハンドル部４０に加える操作力を示す。使用者がハンドル部４０に操作力を加えると、操作力は、図７に示す矢印Ｆ２のように、ハンドル部４０から製泡部材４４に伝達される。製泡部材４４に伝達された操作力は、図７に示す矢印Ｆ３のように、製泡部材４４からポンプユニット３０（ピストン３３）に伝達される。
【００５６】
このようにハンドル部４０を上方から下方へ押し込む力は、製泡部材４４を介してポンプユニット３０に伝達される。同時に、図７に示す矢印Ｆ４のように、ピストン３３には、スプリング３８（図５参照）により、上方へ向かう力が加えられている。
【００５７】
このような構成により、ハンドル部４０を押し込んだときに、ハンドル部４０は、製泡部材４４に押し付けられ、製泡部材４４に密着する。また、製泡部材４４は、ポンプユニット３０に押し付けられ、ポンプユニット３０に密着する。これにより、ハンドル部４０と製泡部材４４との間、及び、製泡部材４４とポンプユニット３０との間のシール性能を向上させることができる。
【００５８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、取付管、石鹸液タンク及び本体部などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５９】
１２ 取付管、  １２ａ 開口、  １２ｂ 凹凸、  １４ 石鹸液タンク、  １５ 本体部、  ２１ パッキン、  ２２ ナット、  ２３ 継手、  ２３ａ 適宜パッキン、  ２５ ホース部、  ２５ａ フィルタ、  ２５ｂ 継手、  ２５ｃ ホース、  ２６ キャップ、  ２８ カバー部材、  ２９ リング、  ３０ ポンプユニット、  ３０ｂ 凹凸、  ３１ 液ポンプ、  ３２ エアポンプ、  ３３ ピストン、  ３３ａ エアピストン、  ３３ｂ リキッドピストン、  ３４ シリンダ、  ３５ インナーロッド、  ３６ａ 逆止弁、  ３６ｂ 逆止弁、  ３６ｃ 混合室逆止弁、  ３７ プラグ、  ３８ スプリング、  ３９ ボール、  ４０ ハンドル部、  ４１ ノズル、  ４１ｅ 吐出口、  ４２ 樹脂部材、  ４４ 製泡部材、  ４４ａ 第１の網、  ４４ｂ 第２の網、  ４４ｃ 筒部、  ４６ 外郭部材、  ４８ パッキン、  １００ 石鹸液供給装置、  ２００ カウンタ、  ２１０ ボウル、  ２２０ 水栓装置、  Ｐ 小孔、  ＲＡ 空気室、  ＲＬ 液室、  ＲＭ 混合室
【図１】
2018051030.tif 000003
【図２】
2018051030.tif 000004
【図３】
2018051030.tif 000005
【図４】
2018051030.tif 000006
【図５】
2018051030.tif 000007
【図６】
2018051030.tif 000008
【図７】
2018051030.tif 000009